(57)【特許請求の範囲】
【請求項１】
圧縮動作時にのみピストンでハードの減衰力を発生するオイルダンパと、逆に伸長動作時においてのみピストンでハードの減衰力を発生するオイルダンパを並列に組み合わせて一組とし、これらオイルダンパのシリンダ側にピストンを迂回するオイル流れ用のバイパス油路を、前者のオイルダンパに対してはピストンの中立位置近傍から圧縮側に亙って、また、後者のオイルダンパに対しては反対に伸長側へと亙ってそれぞれ形成したことを特徴とする位置依存型ダンパ。
【発明の詳細な説明】
【０００１】
【産業上の利用分野】
この発明は、各種振動体の動きを速やかに減衰するための位置依存型のオイルダンパに関し、さらに詳しくは、ピストンの中立位置近傍における発生減衰力をソフトに保つと共に、当該中立位置近傍を挟んで両側での発生減衰力を自動的にハードに切り換え得るようにした、特に、乗り物などのシート用サスペンションへの使用に好適な位置依存型ダンパに関する。
【０００２】
【従来の技術】
従来、この種の位置依存型のオイルダンパとしては、例えば、図５に示すようなものが知られている。
【０００３】
すなわち、このオイルダンパＪは、シリンダａ内をピストンｂで二つの作動油室Ｕ，Ｌに区画し、当該ピストンｂに伸側減衰力発生バルブｃと作動油室Ｕ側に向って開く圧側背面バルブｄをそれぞれ配設している。
【０００４】
シリンダａは、アウターシェルｅと互いに協同してこれら両者の間にリザーバ室Ｒを構成し、このリザーバ室Ｒと作動油室Ｌとの間にベースバルブｆが介装してある。
【０００５】
ベースバルブｆには、上記したピストンｂ側のバルブ類と対応して圧側減衰力発生バルブｇと作動油室Ｌ側に向って開くチェックバルブｈをそれぞれ配設している。
【０００６】
一方、シリンダａにおける中立位置Ｘの近傍におる壁面を外方に膨出してバイパス油路ｉを形成し、このバイパス油路ｉの部分をピストンｂが摺動するときにのみ、当該バイパス油路ｉを通して作動油室Ｕ，Ｌを互いに連通するようにしてある。
【０００７】
かくして、オイルダンパＪが外部からの振動を受けてシリンダａとピストンｂが、図示の相対位置関係（通常の使用状態である１Ｇの状態）からバイパス油路ｉを越えて作動油室Ｕ側（伸長側）または作動油室Ｌ側（圧縮側）に変位したとする。
【０００８】
すると、バイパス油路ｉの一方端の開口部がピストンｂにより塞がれて、当該バイパス油路ｉによる両作動油室Ｕ，Ｌの連通が遮断される。
【０００９】
これにより、オイルダンパＪは、伸長側或いは圧縮側への変位の何れの場合にあっても、伸長動作に伴って作動油室Ｕ内のオイルを作動油室Ｌへとピストンｂに設けた伸側減衰力発生バルブｃを押し開いて押し出し、当該伸側減衰力発生バルブｃを通るオイルの流動抵抗で伸側減衰力を発生する。
【００１０】
また、これと併せて、ピストンロッドの退出体積分に相当する量のオイルをリザーバ室Ｒからベースバルブｆのチェックバルブｈを開いて作動油室Ｌへと吸込み、シリンダａ内の容積増加に伴うオイルの不足分を補う。
【００１１】
それに対して、圧縮動作の際には、上記とは逆に、作動油室Ｌ内のオイルを作動油室Ｕへとピストンｂに設けた圧側背面バルブｄを押し開いて押し出し、当該圧側背面バルブｄを押し開くオイルの流動抵抗で作動油室Ｌ内のオイル圧力を上昇させる。
【００１２】
しかも、上記と併せて、ピストンロッドの浸入体積分に相当する量のオイルをリザーバ室Ｒへとベースバルブｆの圧側減衰力発生バルブｇを押し開いて押し出し、これら圧側背面バルブｄと圧側減衰力発生バルブｇとの相乗作用によるオイルの流動抵抗で圧側減衰力を発生する。
【００１３】
【発明が解決しようとする課題】
このように、上記した従来タイプにおける位置依存型のオイルダンパＪにあっては、シリンダａとピストンｂの相対関係が中立位置Ｘから伸長側或いは圧縮側の何れの側に変位した場合にあっても、同一の伸側減衰力発生バルブｃと同じく同一の圧側背面バルブｄおよび圧側減衰力バルブｇが働いて減衰作用を行うことになる。
【００１４】
その結果、オイルダンパＪの伸縮動作に伴う伸側および圧側減衰力特性は、上記伸長側或いは圧縮側への変位に関係なく両者の場合で同一の特性となり、これら伸側および圧側減衰力特性をそれぞれの場合に応じて独立して任意に設定することができない。
【００１５】
しかし、この種の制振用オイルダンパにあっては、振動理論上からシリンダａとピストンｂが中立位置Ｘの状態である静的な釣合位置を境にして伸長側に変位した場合には、伸側減衰力がソフトで圧側減衰力がハードとなり、圧縮側に変位した場合には、逆に伸側減衰力がハードで圧側減衰力がソフトになることがオイルダンパとしての制振効果を高める上で望ましい。
【００１６】
その点において、伸長側或いは圧縮側への変位に関係なく伸側および圧側減衰力特性が同一の特性となる上記従来例のオイルダンパＪでは、充分な減衰作用を発揮し得ないという不都合な点を有する。
【００１７】
したがって、この発明の目的は、静的な釣合位置から伸長側と圧縮側に変位した場合の伸側および圧側減衰力特性をそれぞれ独立して任意に設定することのできる新規の構成を備えた位置依存型ダンパを提供することである。
【００１８】
【課題を解決するための手段】
上記した目的は、この発明において、圧縮動作時にのみピストンでハードの減衰力を発生するオイルダンパと、逆に伸長動作時においてのみピストンでハードの減衰力を発生するオイルダンパを並列に組み合わせて一組とし、これらオイルダンパのシリンダ側にピストンを迂回するオイル流れ用のバイパス油路を、前者のオイルダンパにあってはピストンの中立位置近傍から圧縮側に亙って、また、後者のオイルダンパに対しては反対に伸長側へと亙ってそれぞれ形成することにより達成される。
【００１９】
【作用】
すなわち、上記のように構成することによって、両オイルダンパは、外部からの振動を受けて互いに同期しつつ伸縮動作を行い、通常の使用状態である１Ｇの状態から伸長側または圧縮側に変位する。
【００２０】
そして、伸長側に変位したときには、前者のオイルダンパのピストンのみがバイパス油路を越えて当該バイパス油路をもたないシリンダの壁面と対向し、逆に圧縮側に変位した場合には、後者のオイルダンパのピストンのみがバイパス油路をもたないシリンダの壁面と対向する。
【００２１】
これにより、両オイルダンパが共に伸長側に変位した状態で伸長動作した際には、前者のオイルダンパは、ピストンがシリンダ側のバイパス油路をもたない壁面と対向して相対変位するとはいえ、もともと圧縮動作時にのみハードの減衰力を発生して伸長動作時には減衰力を発生しない構造となっているので殆ど抵抗なく伸長動作する。
【００２２】
それに対して、伸長動作時にのみハードの減衰力を発生する構造になっている後者のオイルダンパは、シリンダ側のバイパス油路とピストンが互いに対向状態を保ったまま伸長動作する。
【００２３】
そのために、当該オイルダンパは、本来の伸側減衰力を発生することなくバイパス油路を通して流れるオイルの流動抵抗でソフトの伸側減衰力を発生し、かくして、これら前者のオイルダンパと後者のオイルダンパとでトータルとしての伸側発生減衰力をソフトに保つ。
【００２４】
一方、上記の状態から反転して圧縮動作すると、後者のオイルダンパは、この場合にあっても、依然としてシリンダ側のバイパス油路とピストンを対向状態に保ったまま圧縮動作するために、前記伸長動作時と同様にしてソフトの圧側減衰力を発生するに過ぎない。
【００２５】
しかし反面、今度は、前者のオイルダンパがピストンをシリンダ側のバイパス油路をもたない壁面と対向させつつ圧縮動作して本来の圧側減衰力を発生し、これら前者のオイルダンパと後者のオイルダンパとでトータルとしての圧側発生減衰力をハードに保つ。
【００２６】
また、両オイルダンパが中立位置からそれぞれ圧縮側に変位して伸縮動作したときには、上記で述べた伸長側への変位時とは逆に両オイルダンパが作用的に互いに入れ換わって動作する。
【００２７】
すなわち、伸長動作時において、前者のオイルダンパは、もともと圧縮動作時にのみハードの減衰力を発生する構造となっているうえに、しかも、シリンダ側のバイパス油路とピストンが互いに対向して動作することになるために殆ど抵抗なく伸長動作する。
【００２８】
それに対して、伸長動作時にのみハードの減衰力を発生する構造になっている後者のオイルダンパは、ピストンがシリンダ側のバイパス油路をもたない壁面と対向して伸長動作することから本来の伸側減衰力を発生し、これら前者のオイルダンパと後者のオイルダンパとでトータルとしての伸側発生減衰力をハードに保つ。
【００２９】
また、上記の状態から反転して圧縮動作すると、前者のオイルダンパは、この場合にあっても、依然としてシリンダ側のバイパス油路とピストンを対向状態に保ったまま圧縮動作するために、前記伸長動作時と同様に殆ど抵抗なく圧縮動作する。
【００３０】
一方、後者のオイルダンパは、ピストンがシリンダ側のバイパス油路をもたない壁面と対向して圧縮動作するとはいえ、圧縮動作側には減衰力を殆ど発生しない構造となっているために、これら前者のオイルダンパと後者のオイルダンパによる圧側発生減衰力はトータルでソフトとなる。
【００３１】
かくして、両オイルダンパを並列に組み合わせて一組とすることにより、静的な釣合位置から伸長側に変位した場合には、伸側ソフトで圧側のみハードの減衰力特性を、また、圧縮側に変位した場合には、伸側のみハードで圧側ソフトの減衰力特性となる。
【００３２】
そして、伸長側或いは圧縮側に変位したときの圧側減衰力特性と伸側減衰力特性は、両オイルダンパのシリンダ側に設けるバイパス油路の位置と、それぞれのオイルダンパにおける圧側発生減衰力と伸側発生減衰力を任意に選ぶことで互いに相手側に何等の影響をも与えることなく設定される。
【００３３】
したがって、各オイルダンパにおけるバイパス油路の位置と圧側および伸側発生減衰力とを個々に独立して設定することで、より優れた減衰作用をもつ位置依存型ダンパとすることができる。
【００３４】
【実施例】
以下、この発明の好ましい実施例について説明する。
【００３５】
図１と図２は、この発明において、互いに一組とし並列に組み合わせて使用されるそれぞれのオイルダンパＡ，Ｂを示している。
【００３６】
図１におけるオイルダンパＡは、シリンダ１と、当該シリンダ１を取り巻いて同芯に配置したにアウターシェル２とを有し、これらシリンダ１とアウターシェル２の上端はベアリング３とシール４を納めたシールケース５によって密封されている。
【００３７】
アウターシェル２の下端は、ボトムキャップ６で密閉されていると共に、シリンダ１の下端には、ベースバルブ７が嵌着して設けてあり、シリンダ１は、この下端に嵌着したベースバルブ７を介してボトムキャップ６の内面にセンターリングして押付けられている。
【００３８】
これにより、アウターシェル２は、シリンダ１との間にリザーバ室Ｒを区画形成すると共に、リザーバ室Ｒは、ベースバルブ７を介してシリンダ１の下部に通じることになる。
【００３９】
シリンダ１内には、ピストン８が摺動自在に挿入されていて、このピストン８でシリンダ１内を上部作動油室Ｕと下部作動油室Ｌとに区画している。
【００４０】
ピストン８から上方に向って延びるピストンロッド９は、ベアリング３とシール４およびシールケース５を貫通して外部へと突出し、このピストンロッド９の上端とボトムキャプ６を通して振動する二部材間に装着される。
【００４１】
ピストン８は、軸方向に貫通する伸側ポート１０と圧側ポート１１を有し、伸側ポート１０の下端には、下部作動油室Ｌ側へと向って開くチェックバルブ１２が、また、圧側ポート１１の上端には、圧側背面バルブ１４がそれぞれ設けられている。
【００４２】
ピストン８と同様にベースバルブ７にも、軸方向に貫通する伸側ポート１６と圧側ポート１７が設けられており、伸側ポート１６の上端には、下部作動油室Ｌ側に向って開くチェックバルブ１８が、また、圧側ポート１７の下端には、圧側減衰力発生バルブ１９がそれぞれ配設してある。
【００４３】
かくして、オイルダンパＡは、ピストン８側の圧側背面バルブ１４とベースバルブ７側の圧側減衰力発生バルブ１９とが作用する圧縮動作時においてのみ、これら圧側背面バルブ１４と圧側減衰力発生バルブ１９との協同作用でハードの減衰力を発生するオイルダンパとして働くことになる。
【００４４】
一方、上記オイルダンパＡと組み合わせて使用されるもう一方のオイルダンパＢは、これまで述べてきたオイルダンパＡと比べて、シリンダ１に設けたバイパス油路２２の配設位置とピストン８の伸側および圧側ポート１０，１１に配設した各バルブの種類を異にし、その他の点では全く同一の構成をとっている。
【００４５】
すなわち、オイルダンパＢにあっては、図２にみられるように、シリンダ１に対してスリット２０とカバー２１とでつくるバイパス油路２２を中立位置Ｘの近傍から伸長側に亙って形成してある。
【００４６】
そして、ピストン８における伸側ポート１０の下端には、チェックバルブ１２の代わりに伸側減衰力発生バルブ１３が、また、圧側ポート１１の上端には、圧側背面バルブ１４の代わりに上部作動油室Ｕ側に向って開くチェックバルブ１５がそれぞれ配設してある。
【００４７】
これにより、当該オイルダンパＢは、伸長作動時にピストン８側の伸側減衰力発生バルブ１３でハードの減衰力を発生すると共に、圧縮作動時にはベースバルブ７側の圧側減衰力発生バルブ１９でソフトの減衰力を発生し、先に述べたオイルダンパＡとは逆に、伸長動作時においてのみハードの減衰力を発生するオイルダンパとして働くことになる。
【００４８】
次に、これらオイルダンパＡ，Ｂを互いに一組とし並列に組み合わせて使用した場合の作動について説明する。
【００４９】
▲１▼静的な釣合位置である中立位置Ｘの近傍での伸縮動作時。
【００５０】
伸長動作時において、オイルダンパＡは、上部作動油室Ｕ内のオイルをバイパス油路２２と併せてピストン８の伸側ポート１０からチェックバルブ１２を開いて下部作動油室Ｌに流しながら伸長動作する。
【００５１】
一方、オイルダンパＢは、上部作動油室Ｕ内のオイルをバイパス油路２２からのみ下部作動油室Ｌへと向って流生しながら上記オイルダンパＡと同期して伸長動作する。
【００５２】
また、これらと併せて、オイルダンパＡ，Ｂは、シリンダ１からピストンロッド９が退出していくのに伴い、当該ピストンロッド９の退出体積分に相当する量のオイルをリザーバ室Ｒからベースバルブ７のチェックバルブ１８を開いてそれぞれ下部作動油室Ｌに吸い込み、そのときにシリンダ１内に生じるオイルの不足分を補償する。
【００５３】
これにより、オイルダンパＡは、ピストン８の伸側ポート１０を通るオイルの流動抵抗でソフトの減衰力を発生しつつ、また、オイルダンパＢは、殆ど減衰力を発生することなくそれぞれ伸長動作してトータルとしての伸側減衰力をソフトの状態に保つ。
【００５４】
それに対して、圧縮動作時にあっては、上記とは逆に、オイルダンパＡが、下部作動油室Ｌ内のオイルをバイパス油路２２からのみ上部作動油室Ｕへと流しながら圧縮動作すると共に、オイルダンパＢが、下部作動油室Ｌ内のオイルをバイパス油路２２と併せてピストン８の圧側ポート１１からチェックバルブ１５を開いて上部作動油室Ｕへと流しながら互いに同期して圧縮動作する。
【００５５】
そして、これらと併せて、両オイルダンパＡ，Ｂは、ピストンロッド９の浸入体積分に相当する量のオイルを下部作動油室Ｌからベースバルブ７の圧側減衰力発生バルブ１９を押し開いてそれぞれリザーバ室Ｒに押し出し、そのときにシリンダ１内に生じるオイルの過剰分を補償する。
【００５６】
これにより、両オイルダンパＡ，Ｂは、主としてベースバルブ７の圧側減衰力発生バルブ１９を通るオイルの流動抵抗でソフトの減衰力を発生し、トータルとしての圧側減衰力をソフトの状態に保ちつつ圧縮動作することになる。
【００５７】
かくして、中立位置Ｘの近傍での伸縮動作時には、伸側および圧側減衰力が共にソフトの減衰力特性となる。
【００５８】
▲２▼中立位置Ｘから伸長側に変位したときの伸縮動作時。
【００５９】
オイルダンパＡ，Ｂが同期して伸長側に変位したときには、一方のオイルダンパＡのピストン８がシリンダ１側のバイパス油路２２をもたない壁面と対向して相対変位を行うだけで、他方のオイルダンパＢは、依然としてシリンダ１側のバイパス油路２２とピストン８が対向した状態を保って伸縮動作する。
【００６０】
これにより、伸長動作時において、オイルダンパＡは、上部作動油室Ｕ内のオイルをピストン８の伸側ポート１０からチェックバルブ１２を開いて、また、オイルダンパＢは、バイパス油路２２を通してそれぞれ下部作動油室Ｌに流す。
【００６１】
その結果、オイルダンパＡ，Ｂは、オイルダンパＢ側のバイパス油路２２を通るオイルの流動抵抗でトータルとしての伸側減衰力をソフトの状態に保ちつつ伸長動作する。
【００６２】
また、上記と併せてオイルダンパＡ，Ｂは、ピストンロッド９の退出体積分に相当する量のオイルをリザーバ室Ｒからベースバルブ７の伸側ポート１６に設けたチェックバルブ１８を開いて下部作動油室Ｌに吸い込み、シリンダ１内のオイルの不足分を補う。
【００６３】
それに対して、上記の状態から圧縮動作に移ると、オイルダンパＡは、ピストン８の圧側ポート１１から圧側背面バルブ１４を押し開いて下部作動油室Ｌ内のオイルを上部作動油室Ｕに押し出しつつ圧縮動作する。
【００６４】
また、オイルダンパＢは、依然としてシリンダ１側のバイパス油路２２とピストン８が対向したまま下部作動油室Ｌ内のオイルを当該バイパス油路２２からのみ上部作動油室Ｕに流して圧縮動作する。
【００６５】
しかも、これらと併せて、オイルダンパＡ，Ｂは、ピストンロッド９の浸入体積分に相当する量のオイルを下部作動油室Ｌからベースバルブ７の圧側減衰力発生バルブ１９を押し開いてリザーバ室Ｒに押し出し、シリンダ１内のオイルの過剰分を補償する。
【００６６】
これにより、圧縮動作時にあっては、オイルダンパＡが圧側背面バルブ１４とベースバルブ７の圧側減衰力発生バルブ１９との協同作用でハードの減衰力を発生するのと共に、オイルダンパＢがベースバルブ７の圧側減衰力発生バルブ１９でソフトの圧側減衰力を発生し、両オイルダンパＡ，Ｂは、トータルとしての圧側減衰力をハードの状態に保って圧縮動作する。
【００６７】
かくして、伸長側に変位したときには、伸側がソフトで圧側がハードの減衰力特性となる。
【００６８】
▲３▼中立位置Ｘから圧縮側に変位したときの伸縮動作時。
【００６９】
オイルダンパＡ，Ｂが同期して圧縮側に変位した場合には、前記とは逆に、オイルダンパＡのピストン８がシリンダ１側のバイパス油路２２と対向して相対変位を行うのに対し、他方のオイルダンパＢのピストン８がシリンダ１側のバイパス油路２２をもたない壁面と対向して相対変位を行う。
【００７０】
これにより、圧縮動作時において、両オイルダンパＡ，Ｂは、下部作動油室Ｌ内のオイルをベースバルブ７の圧側減衰力発生バルブ１９からリザーバ室Ｒに押し出してオイルの体積補償を行いつつ、かつ、オイルダンパＡが下部作動油室Ｌ内のオイルをバイパス油路２２から、また、オイルダンパＢがピストン８の圧側ポート１１からチェックバルブ１５を開いてそれぞれ上部作動油室Ｕに流す。
【００７１】
かくして、両オイルダンパＡ，Ｂは、主としてベースバルブ７の圧側減衰力発生バルブ１９によるオイルの流動抵抗で圧側減衰力をソフトの状態に保ちつつ圧縮動作する。
【００７２】
それに対して、上記の状態から伸長動作に移ると、オイルダンパＡは、依然としてシリンダ１側のバイパス油路２２とピストン８が対向したまま、上部作動油室Ｕ内のオイルを当該バイパス油路２２から下部作動油室Ｌに向って流しつつ伸長動作する。
【００７３】
また、オイルダンパＢは、ピストン８の伸側ポート１０から伸側減衰力発生バルブ１３を押し開いて上部作動油室Ｕ内のオイルを下部作動油室Ｌに押し出しつつ伸長動作する。
【００７４】
しかも、これらと併せて、オイルダンパＡ，Ｂは、ピストンロッド９の退出体積分に相当する量のオイルをリザーバ室Ｒからベースバルブ７の伸側ポート１６に設けたチェックバルブ１８を開いて下部作動油室Ｌに吸い込み、シリンダ１内のオイルの不足分を補う。
【００７５】
これにより、伸長動作時にあっては、オイルダンパＡが殆ど減衰力を発生することなく、オイルダンパＢのみがピストン８の伸側減衰力発生バルブ１３でハードの減衰力を発生し、両オイルダンパＡ，Ｂは、トータルとしての伸側減衰力をハードの状態に保って伸長動作する。
【００７６】
その結果、伸長側に変位したときには、上記圧縮側への変位時とは逆に伸側がハードで圧側がソフトの減衰力特性となる。
【００７７】
かくして、伸長側或いは圧縮側に変位したときの圧側減衰力特性と伸側減衰力特性は、オイルダンパＡ，Ｂのシリンダ１に設けるバイパス油路２２の位置と、オイルダンパＡにおけるピストン８の圧側背面バルブ１４とベースバルブ７の圧側減衰力発生バルブ１９、および、オイルダンパＢにおけるピストン８の伸側減衰力発生バルブ１３のそれぞれのバルブ特性とによって決まる。
【００７８】
しかも、これらバイパス油路２２のそれぞれの設置位置と各バルブ１３，１４および１９のバルブ特性は、互いに他に対して何等の影響をも与えることなく設定可能である。
【００７９】
したがって、それぞれのバイパス油路２２の設置位置と、伸側減衰力発生バルブ１３，圧側背面バルブ１４および圧側減衰力発生バルブ１９のバルブ特性を個々に独立して設定し、それによって、より優れた減衰作用をもつ位置依存型ダンパとすることが可能になる。
【００８０】
なお、これまで述べた図１，２のオイルダンパＡ，Ｂにあっては、バイパス油路２２をシリンダ１に穿ったスリット２０とそれを覆うカバー２１とで構成したが、当該スリット２０をシリンダ１に穿った上下の油孔に代えてもよく、或いは図５の従来例と同じくシリンダ１の壁面を外方に膨出させて形成するようにしてもよいことは勿論である。
【００８１】
ただし、バイパス油路２２の構成に当って、シリンダ１の壁面を外方に膨出して形成する手段は加工が面倒で作るのに手数が掛り、また、図１，２のようにスリット２０或いは油孔とカバー２１を用いる手段は、当該カバー２１の取り付けによってシリンダ１の真円度に狂いが生じ、ピストン８の動きに支障をきたす恐れがある。
【００８２】
図３，４の実施例は、これらの点を考慮に入れて構成したもので、この実施例にあっては、カバー２１の上下端に内周面側にシール２３をもつガイド２４を嵌着し、これらガイド２４のシール２３でシリンダ１との間を油密に保ちつつ、当該カバー２１をスプリング２５で所定の位置に保持するようにしている。
【００８３】
このものによれば、カバー２１の加工が容易になるだけでなく、その取り付けに当ってもシリンダ１の真円度に何等の影響をも与えないので、オイルダンパとしての作動性を良好に保つことができる。
【００８４】
【発明の効果】
以上のように、この発明によれば、一組として用いる個々のオイルダンパのバイパス油路の位置と、これに関連して一方のオイルダンパの圧側減衰力特性と他方のオイルダンパの伸側減衰力特性とを適切に選定することにより、これらオイルダンパが伸長側と圧縮側に変位したときのそれぞれの減衰力特性を、互いに他方に対して何等の影響も与えることなく独立して設定することができる。
【００８５】
かくして、伸長側への変位時には伸側ソフトで圧側ハードの減衰力特性を、また、圧縮側への変位時には逆に伸側ハードで圧側ソフトの減衰力特性をそれぞれ発生して、制振効果に優れた位置依存型ダンパとすることが可能になる。
【図面の簡単な説明】
【図１】この発明の一実施例である位置依存型ダンパの一方のオイルダンパを示す縦断正面図である。
【図２】同上のオイルダンパと組み合わせて使用される他方のオイルダンパを示す縦断正面図である。
【図３】同じく、この発明の他の実施例である位置依存型ダンパの一方のオイルダンパを示す縦断正面図である。
【図４】同上のオイルダンパと組み合わせて使用される他方のオイルダンパを示す縦断正面図である。
【図５】従来例である位置依存型ダンパを示す縦断正面図である。
【符号の説明】
１  シリンダ
２  アウターシェル
７  ベースバルブ
８  ピストン
１２，１５，１８  チェックバルブ
１３  伸側減衰力発生バルブ
１４  圧側背面バルブ
１９  圧側減衰力発生バルブ
２０  スリット
２１  カバー
２２  バイパス油路
Ａ，Ｂ  オイルダンパ
Ｌ  下部作動油室
Ｒ  リザーバ室
Ｕ  上部作動油室
Ｘ  中立位置
【図１】
0003618827.tif 000002
【図２】
0003618827.tif 000003
【図３】
0003618827.tif 000004
【図４】
0003618827.tif 000005
【図５】
0003618827.tif 000006